(57)【要約】  研磨物品をサンディングツールに取り付けるための変換パッドは、裏当て材と支持層の少なくとも一部に配置され、それにより裏当て材を湿気から保護する湿気バリアとを備える支持層と、支持層に付着され、研磨物品を変換パッドに取り付けるための一層の取付材と、を有する。
2007532328.tif 000002
【特許請求の範囲】
【請求項１】
研磨物品をサンディングツールに取り付けるための変換パッドであって、
（ａ）裏当て材と、該裏当て材の少なくとも一部に配置され、それにより該裏当て材を湿気から保護する湿気バリアと、を備える支持層と、
（ｂ）該支持層に付着され、該研磨物品を当該変換パッドに取り付けるための一層の取付材と、
を備える変換パッド。
【請求項２】
前記裏当て材が、一対の湿気バリア層の間に介挿される、請求項１に記載の変換パッド。
【請求項３】
前記裏当て材の層が、バルカナイズドファイバボードを含む、請求項１に記載の変換パッド。
【請求項４】
前記湿気バリアが、ポリウレタン、蝋、エポキシ樹脂、ポリプロピレン、ポリエチレンテレフタレート、ポリビニルブチラール、ポリエチレン、ラテックス、アクリル樹脂、エナメルおよびタールのうちの少なくとも１つを含む、請求項１に記載の変換パッド。
【請求項５】
前記取付材の層が、一層のフックタイプファスナを含む、請求項１に記載の変換パッド。
【請求項６】
前記フックタイプファスナの層が、耐熱ホットメルト接着剤により前記裏当て材に付着される、請求項５に記載の変換パッド。
【請求項７】
支持層と、該支持層に配置された一層の取付材と、を備えた変換パッドであって、該支持層が、バルカナイズドファイバボードを含む裏当てを備える、変換パッド。
【請求項８】
前記支持層が、前記裏当ての少なくとも一部に配置され、それにより該裏当て材を湿気から保護する湿気バリアをさらに備える請求項７に記載の変換パッド。
【請求項９】
前記支持層が、耐熱ナイロンホットメルト接着剤により前記取付材に接着接合される、請求項８に記載の変換パッド。
【請求項１０】
前記支持層が、それにより該裏当てを湿気から保護する一対の防湿バリア層の間に介挿された一層の裏当て材を備える請求項９に記載の変換パッド。
【請求項１１】
前記防湿バリア層が、ポリウレタン、蝋、エポキシ樹脂、ポリプロピレン、ポリエチレンテレフタレート、ポリビニルブチラール、ポリエチレン、ラテックス、アクリル樹脂、エナメルおよびタールのうちの少なくとも１つを含む、請求項１０に記載の変換パッド。
【発明の詳細な説明】
【技術分野】
【０００１】
本発明は、一般にサンディングツールに関し、特に、反りに対して耐性がある、エッジャサンダまたはランダムオービットサンダ等のサンディングツールのための変換パッドに関する。
【背景技術】
【０００２】
エッジャサンダまたはランダムオービットサンダ等の電動サンディングツールを使用する場合、研磨ディスクまたはシート等の研磨物品は、ツールのバックアップパッドに取り付けられる。サンディング中、操作者は、頻繁に、摩耗した研磨物品を交換するかまたは仕上げ段階に応じて１つの研磨物品を別の研磨物品に変更する必要のある場合がある。従来、１つの取付システムを有する研磨物品を別の取付システムを有する研磨物品に変更する（たとえば、フックループ取付システムを有する研磨物品からＰＳＡ取付システムを有する研磨物品に変更する）ために、バックアップパッド自体を変更する必要があった。それは、１つの取付システムのために設計されたバックアップパッドは、一般に、異なる取付システムのために設計された研磨物品を確実に取り付けないためである。
【発明の開示】
【発明が解決しようとする課題】
【０００３】
異なる取付システムを有する研磨物品を変更する場合にバックアップパッドを変更する必要をなくすために、変換パッドが開発された。変換パッドは、通常、バックアップパッドと嵌合する一面と、研磨物品に付着する嵌合面を含む一面と、を有する耐久性のある材料から形成される裏当てを有する。例としての変換パッドは、ミネソタ州セントポールの３Ｍカンパニー（３Ｍ  Ｃｏｍｐａｎｙ（Ｓｔ．Ｐａｕｌ，ＭＮ））から販売されている３ＭＴＭスティキット（Ｓｔｉｋｉｔ）ＴＭ変換パッドである。しかしながら、変換パッドに使用される多くの材料は、湿潤環境または高湿度環境において、もしくは低湿度環境において、反りの影響を受けやすい。すなわち、製造時に略平面である変換パッドは、比較的湿気の多い状態に晒されると一方向に反る可能性があり、比較的乾燥した状態に晒されると反対方向に反る可能性がある。変換パッドが反ることにより、加工物表面の一貫しないかまたは不均一なサンディングがもたらされることによってサンディング操作が妨げられる可能性がある。
【課題を解決するための手段】
【０００４】
結果として、サンディング特性が向上した手頃な変換パッドが必要とされている。特に、高湿気（すなわち、湿潤環境または高湿度環境）においても低湿気（すなわち低湿度）環境においても、反りに対して耐性がある変換パッドが必要とされている。したがって、製造が容易であり、かつ高湿気環境および低湿気環境の両方において反りに対する耐性が向上した変換パッドを提供することが望ましい。
【０００５】
本発明は、研磨物品をサンディングツールに取り付けるための変換パッドであって、裏当て材と、裏当て材の少なくとも一部に配置され、それにより裏当て材を水および湿気から保護する湿気バリアと、を備える支持層と、支持層に付着され、研磨物品を変換パッドに取り付けるための一層の取付材と、を有する変換パッドを提供することにより、本技術分野における上述した限界を克服する。特定の実施形態では、裏当ては、バルカナイズドファイバ材を含む。
【０００６】
別の態様では、本発明は、一層の取付材に取り付けられた、研磨物品に付着する裏当てを備えた支持層を有する変換パッドであって、裏当てがバルカナイズドファイバ材を含む、変換パッドを提供する。特定の実施形態では、支持層は、裏当ての少なくとも一部に配置された湿気バリアを含む。
【０００７】
一実施形態では、裏当て材は、一対の湿気バリア層の間に介挿される。湿気バリア層は、ポリウレタン、蝋、エポキシ樹脂、ポリプロピレン、ポリエチレンテレフタレート、ポリビニルブチラール、ポリエチレン、ラテックス、アクリル樹脂、エナメルまたはタール、もしくはそれらの組合せを含んでもよい。
【０００８】
一実施形態では、取付材の層は、一層のナイロンフックタイプ締結要素を含む。別の実施形態では、フックタイプファスナの層は、耐熱ナイロンホットメルト接着剤により裏当て層に付着される。
【０００９】
別の実施形態では、支持層は、耐熱ナイロンホットメルト接着剤により取付材に接着接合される。
【００１０】
本出願では、「耐湿性」とは、バリアを通過する可能性のある湿気の量を、下にある材料が、製品の輸送および貯蔵の間に通常もたらされる環境状態の所与のセットに対し湿気の増大または低減により悪影響を受けることがないような十分なレベルにまで低減する、バリアを作成することができることを指す。
【００１１】
「防湿性」とは、製品の搬送および貯蔵の間に通常もたらされる環境状態の所与のセットに対して、製品の耐用期間中に湿気がバリアを通過するのを完全にブロックするバリアを作成することができることを指す。
【００１２】
一般に、耐湿層および防湿層は、裏当て、したがって変換パッド自体が、反りがサンディング操作の妨げとなる程度まで反ることがないように変換パッド裏当てを適当に保護する。言い換えれば、耐湿層および防湿層は、湿気の増大または低減によってもたらされる可能性のある反りに対して保護する。これは、裏当てが、変換パッドのサンディング性能が反りによって悪影響を受ける程度まで反りをもたらす可能性のある湿気の増大または低減に晒されないようにすることによって達成される。
【００１３】
本発明のいくつかの実施形態の利点は、湿気が変換パッドに与える可能性のある影響を最小限にし、より詳細には、変換パッドが、高レベルまたは低レベルの湿度に晒されることによってもたらされる可能性のある反りに対して耐性がある、ということである。本発明のいくつかの実施形態の別の利点は、ナイロン材料およびホットメルト接着剤を使用することにより、木の床およびそれに塗布されるコーティングのサンディング操作中に生成される熱に対する耐性が追加される。他の実施形態の利点は、３０ミルバルカナイズドファイバ裏当てを含む変換パッドを使用することにより、変換パッドの疲労強度が向上し、それにより、サンディング操作中の回転スピンによって引き起こされる故障に対する耐性が提供される。
【００１４】
本発明を、添付図面を参照してさらに説明する。
【発明を実施するための最良の形態】
【００１５】
ここで図面を参照すると、図１は、一層の取付材６に付着された複合支持層４を有する変換パッド２を示す。
【００１６】
本発明の特色となる特徴によれば、複合支持層４は、２つの保護層１０、１２の間に介挿された一層の裏当て材８を含み、保護層１０、１２は、水の形態もしくは高湿度または低湿度である湿気の有害な影響から裏当て材８を保護する役割を果たす湿気バリアを形成する。裏当て層８の例としての材料は、バルカナイズドファイバ材である。適当なバルカナイズドファイバ材は、原料番号ＲＭ１１−００２１−０３７３−４でミネソタ州セントポールの３Ｍカンパニー（３Ｍ  Ｃｏｍｐａｎｙ（Ｓｔ．Ｐａｕｌ，ＭＮ））から販売されている３０ミル厚さのバルカナイズドファイバボードである。
【００１７】
保護層１０、１２は、裏当て材８が、反りが変換パッドの所望の性能を妨げる程度まで反らないように、水および湿気から適当に保護する限り、耐湿性であっても防湿性であってもよい。保護層１０、１２に対する適当な材料には、ポリウレタン、蝋、エポキシ樹脂、ポリプロピレン、ポリエチレンテレフタレート、ポリビニルブチラール、ポリエチレン、ラテックス、アクリル樹脂、エナメルおよびタールがある。保護層１０、１２に対する特に適当な材料は、ＰＵ−４０、すなわちミネソタ州ミネアポリスのイルブルック・インク（Ｉｌｌｂｒｕｃｋ，Ｉｎｃ．（Ｍｉｎｎｅａｐｏｌｉｓ，ＭＮ））から販売されている４０％固形分を含有するポリウレタンディスパージョンである。
【００１８】
図示する実施形態では、保護層１０、１２は、裏当て８の第１面１６と第２面１８との両方に設けられている。しかしながら、保護層１０、１２を、１つまたは複数の保護層が状態の所与のセットに対して水および湿気に対する適当な保護を提供する限り、一方のみに、両面に、かつ／または裏当て８の縁２０に沿って設けてもよく、それにより、変換パッドのたわみまたは反りの程度が、変換パッドの所望の性能が達成される程度まで低減する。すなわち、幾分かのわずかなたわみまたは反りは許容されるが、サンディング操作を妨げない程度までのみである。
【００１９】
図示する実施形態では、保護層１０、１２は、平衡のとれた裏当て８を形成するように両主面１６、１８に設けられており、それによりたわみおよび反りの可能性が最小限になる。また、保護層１０、１２自体が１つまたは複数の層を含んでもよい、ということも理解されよう。たとえば、保護層１０、１２は、下塗りおよび任意の仕上げ塗りの前のシーラまたはプライマを含んでもよい。
【００２０】
複合支持層４は、ホットメルト接着剤等の適当な接着剤１４により取付材６の層に接着接合される。ホットメルト接着剤は、ナイロンホットメルト接着剤等の耐熱接着剤であることが好ましい。適当な耐熱ナイロンホットメルト接着剤は、製品記号ＨＭ−１１４−５０でミネソタ州セントポールの３Ｍカンパニー（３Ｍ  Ｃｏｍｐａｎｙ（Ｓｔ．Ｐａｕｌ，ＭＮ））から販売されている。
【００２１】
変換パッド２は、研磨物品（図示せず）に付着する第１主面２２と、バックアップパッド（図示せず）に係合する反対側の第２主面２４と、を含む。第１主面２２は、研磨物品に設けられたループタイプ面と嵌合する複数のフックタイプ締結要素２６を含む。変換パッド２は、バックアップパッドに固定されると、バックアップパッドに対し、研磨物品をバックアップパッドに取り付けるために使用することができる新たな嵌合面、すなわち面２２を提供する。
【００２２】
本明細書で説明した発明がより完全に理解され得るために、以下の実施例を示す。実施例は単に例示の目的のものであり、本発明をいかなるようにも限定するように解釈されてはならない、ということが理解されるべきである。
【実施例】
【００２３】
図１に示す構造を有する変換パッドを、以下のように作製した。ミネソタ州セントポールの３Ｍカンパニー（３Ｍ  Ｃｏｍｐａｎｙ（Ｓｔ．Ｐａｕｌ，ＭＮ））から販売されている３０ミル厚さのバルカナイズドファイバ裏当てを、ミネソタ州ミネアポリスのイルブルック・インク（Ｉｌｌｂｒｕｃｋ、Ｉｎｃ．（Ｍｉｎｎｅａｐｏｌｉｓ，ＭＮ））から販売されているＰＵ−４０ポリウレタンを含む両主面にコーティングし、それにより、裏当てを水および湿気から保護するバリア層を作成した。そして、コーティングした裏当てを、３Ｍカンパニー（３Ｍ  Ｃｏｍｐａｎｙ）のホットメルト接着剤ＨＭ１１５−５０、すなわち耐熱ナイロンホットメルト接着剤を使用して、複数のＪ型フックを有する取付部材に付着させた。
【００２４】
変換パッドの反り特性を、保護ポリウレタンコーティング層を含まない同様の変換パッドとともに、同じ長さの時間、同じ温度および湿度状態の下で保管することにより、評価した。可変湿度状態に晒された時、本発明の変換パッドは、保護ポリウレタンコーティングを含まない変換パッドより、反りが大幅に少ないことが分かった。
【００２５】
上述した発明の概念から逸脱することなく、さまざまな変形および変更を行ってもよい、ということが当業者には明らかとなろう。このため、本発明の範囲は、この出願に記載されている構造に限定されるべきではなく、特許請求の範囲およびそれら構造の等価物の文言によって記載されている構造によってのみ限定されるべきである。
【図面の簡単な説明】
【００２６】
【図１】本発明による変換パッドの断面図である。
【図１】
2007532328.tif 000003
【国際調査報告】
2007532328.tif 000004
2007532328.tif 000005
2007532328.tif 000006